(57)【特許請求の範囲】
【請求項１】
第１液のための第１収容部と第２液のための第２収容部を有し、第１収容部に連なる第１ノズルを外側に、第２収容部に連なる第２ノズルを内側に同軸配置した本体容器に第１液と第２液を供給する可撓袋であって、
第１液のための外袋の中に第２液のための内袋を収容し、外袋に連なる外ノズルと内袋に連なる内ノズルを同軸配置し、外ノズルと内ノズルのそれぞれを本体容器の第１ノズルと第２ノズルのそれぞれに同時に連結可能にした可撓袋。
【請求項２】
前記外ノズルと内ノズルを一体化し、該外ノズルにコネクタを設け、該コネクタを本体容器に接続可能にした請求項１に記載の可撓袋。
【請求項３】
前記外袋に漂白剤を収容し、前記内袋に洗剤を収容した請求項１又は２に記載の可撓袋。
【請求項４】
第１液のための第１収容部と第２液のための第２収容部を有し、第１収容部に連なる第１ノズルを外側に、第２収容部に連なる第２ノズルを内側に同軸配置した本体容器に第１液を供給する可撓袋であって、
ノズルを備えるとともに、ノズルの中央に栓体を備え、ノズルと栓体のそれぞれを本体容器の第１ノズルと第２ノズルのそれぞれに同時に連結可能にした可撓袋。
【発明の詳細な説明】
【０００１】
【発明の属する技術分野】
本発明は可撓袋に関する。
【０００２】
【従来の技術】
第１と第２の２液を同時に吐出できる本体容器であって、外側の第１ノズルと内側の第２ノズルを同軸配置してなる本体容器に、それら２液を詰め替えるための、第１と第２の２種の可撓袋を用いることがある。
【０００３】
【発明が解決しようとする課題】
▲１▼第１可撓袋と第２可撓袋を交互に用いるものであり、詰め替え時間が長時間になるし、第１可撓袋を本体容器の第１ノズルに連結すべきところを本体容器の第２ノズルに連結してしまう誤操作や、逆に第２可撓袋を本体容器の第２ノズルに連結すべきところを本体容器の第１ノズルに連結してしまう誤操作を生ずる虞がある。
【０００４】
▲２▼第１可撓袋から第１液を本体容器の外側の第１ノズルに詰め替えるとき、第１可撓袋から流出する第１液が第１ノズルだけでなく、第１ノズルの内側に開口している第２ノズルに流入してしまい、詰め替え時に２液混合してしまう虞がある。
【０００５】
本発明の課題は、２液を同時に吐出できる本体容器に対し、２液を同時に詰め替えることにある。
【０００６】
本発明の他の課題は、２液を同時に吐出できる本体容器の第１収容部に外側の第１ノズルから第１液を詰め替えるとき、第１液を第１ノズルの内側の第２ノズルに流入させることなく、詰め替え時の２液混合を防止することにある。
【０００７】
【課題を解決するための手段】
請求項１の発明は、第１液のための第１収容部と第２液のための第２収容部を有し、第１収容部に連なる第１ノズルを外側に、第２収容部に連なる第２ノズルを内側に同軸配置した本体容器に第１液と第２液を供給する可撓袋であって、第１液のための外袋の中に第２液のための内袋を収容し、外袋に連なる外ノズルと内袋に連なる内ノズルを同軸配置し、外ノズルと内ノズルのそれぞれを本体容器の第１ノズルと第２ノズルのそれぞれに同時に連結可能にしたものである。
【０００８】
請求項４の発明は、第１液のための第１収容部と第２液のための第２収容部を有し、第１収容部に連なる第１ノズルを外側に、第２収容部に連なる第２ノズルを内側に同軸配置した本体容器に第１液を供給する可撓袋であって、ノズルを備えるとともに、ノズルの中央に栓体を備え、ノズルと栓体のそれぞれを本体容器の第１ノズルと第２ノズルのそれぞれに同時に連結可能にしたものである。
【０００９】
【発明の実施の形態】
図１は、漂白剤等の第１液と洗剤等の第２液を同時に吐出できる本体容器１０に対し、それら２液を詰め替えるための可撓袋２０の使用状態を示したものである。
【００１０】
本体容器１０は、図２に示す如く、第１液のための外容器からなる第１収容部１１と、第２液のための内容器からなる第２収容部１２を有し、第２収容部１２を第１収容部１１の内部に収容している。本体容器１０は、第１収容部１１に打ち込み嵌合されて連なる第１ノズル１１Ａを外側に、第２収容部１２に螺着されて連なる第２ノズル１２Ａを内側に同軸配置している。本実施形態では、内側の第２ノズル１２Ａの先端面を、外側の第１ノズル１１Ａの先端面より外方に突出配置するように第１収容部１１と第２収容部１２を相互に固定し、本体容器１０からの２液同時吐出時に、内側の第２ノズル１２Ａから流出する第２液が外側の第１ノズル１１Ａから第１収容部１１に浸入することを回避可能とする。
【００１１】
可撓袋２０は、図３に示す如く、第１液のための外袋２１の中に第２液のための内袋２２を収容し、外袋２１にシールされて連なる外ノズル２１Ａと内袋２２にシールされて連なる内ノズル２２Ａを同軸配置している。可撓袋２０は、第１液と第２液の本体容器１０への詰め替え時に、図１に示す如く、外ノズル２１Ａと内ノズル２２Ａのそれぞれを、本体容器１０の第１ノズル１１Ａと第２ノズル１２Ａのそれぞれに同時に嵌合して連結可能としている。外袋２１と内袋２２は可撓プラスチック材料からなり、外ノズル２１Ａと内ノズル２２Ａは硬質プラスチック材料からなる。
【００１２】
可撓袋２０において、外ノズル２１Ａと内ノズル２２Ａは一体成形されたノズル体２３をなし、両者のつなぎ部２３Ａに第１液のための流路２３Ｂを備える。可撓袋２０は、ノズル体２３における外ノズル２１Ａの外周に設けた環状溝２３Ｃにコネクタ２４を回転可能に結合して備え、コネクタ２４のねじ部２４Ａを本体容器１０の第１ノズル１１Ａの外周に係着したスリーブ１３に設けたねじ部１３Ａに接続し、外ノズル２１Ａと内ノズル２２Ａのそれぞれを本体容器１０の第１ノズル１１Ａと第２ノズル１２Ａのそれぞれに強固に連結維持可能としている。
【００１３】
可撓袋２０は、可撓性の外袋２１、内袋２２に対し、外ノズル２１Ａ、内ノズル２２Ａを硬質にしているから、本体容器１０の側傍に可撓袋２０の外袋２１、内袋２２を正立させた状態でノズル体２３（外ノズル２１Ａ、内ノズル２２Ａ）をその根元から下向きに折り曲げて本体容器１０の第１ノズル１１Ａ、第２ノズル１２Ａにそれらの外ノズル２１Ａ、内ノズル２２Ａを嵌合して連結でき、その嵌合状態下で、コネクタ２４のねじ部２４Ａを本体容器１０のねじ部１３Ａに接続できる。その後、可撓袋２０の外袋２１、内袋２２を倒立させれば、外袋２１の第１液と内袋２２の第２液を外ノズル２１Ａと第１ノズル１１Ａの連結部、内ノズル２２Ａと第２ノズル１２Ａの連結部から可撓袋１０の第１収容部１１と第２収容部１２に供給できる。
【００１４】
尚、可撓袋２０は、物流段階では、外袋２１、内袋２２の外ノズル２１Ａ、内ノズル２２Ａを塞ぐ蓋体を備える。この蓋体はコネクタ２４により緊結維持できる。
【００１５】
本実施形態によれば、以下の作用がある。
（請求項１に対応する作用）
▲１▼可撓袋２０が第１液のための外袋２１と第２液のための内袋２２を有し、外袋２１に連なる外ノズル２１Ａと内袋２２に連なる内ノズル２２Ａを同軸配置し、外ノズル２１Ａと内ノズル２２Ａのそれぞれを本体容器１０の第１ノズル１１Ａと第２ノズル１２Ａのそれぞれに同時に連結可能とした。従って、可撓袋２０の外袋２１と内袋２２のそれぞれから第１と第２の２液を本体容器１０に対し同時に詰め替えでき、詰め替え時間を短縮できるし、可撓袋２０の外ノズル２１Ａを本体容器１０の第２ノズル１２Ａに連結してしまう誤操作や、逆に内ノズル２２Ａを本体容器１０の第１ノズル１１Ａに連結してしまう誤操作の可能性を当然に排除でき、詰め替え時の２液混合を防止できる。
【００１６】
（請求項２に対応する作用）
▲２▼外ノズル２１Ａと内ノズル２２Ａを一体化し、外ノズル２１Ａにコネクタ２４を設け、コネクタ２４を本体容器１０に接続可能にした。従って、コネクタ２４の存在により、外ノズル２１Ａと内ノズル２２Ａのそれぞれを本体容器１０の第１ノズル１１Ａと第２ノズル１２Ａのそれぞれに対しずれ、外れなく確実に連結維持でき、詰め替え作業の安定を確保できる。
【００１７】
（請求項３に対応する作用）
▲３▼可撓袋２０の外袋２１に漂白剤を収容し、内袋２２に洗剤を収容することにより、反応し易い漂白剤と洗剤を２液混合することなく本体容器１０に詰め替えでき、それら２液の洗濯物への使用時にはそれら２液を同時に吐出混合して迅速に漂白の用に供することができる。
【００１８】
図４の可撓袋３０は、図２の前述した本体容器１０に第１液を供給するものである。
【００１９】
可撓袋３０は、第１液を収容する袋本体３１にノズル３１Ａに備えるとともに、ノズル３１Ａの中央に栓体３２を備える。可撓袋３０は、第１液の本体容器１０への詰め替え時に、ノズル３１Ａと栓体３２のそれぞれを本体容器１０の第１ノズル１１Ａと第２ノズル１２Ａのそれぞれに同時に嵌合して連結し、栓体３２によって第２ノズル１２Ａを塞ぐ。袋本体３１は可撓プラスチック材料からなり、ノズル３１Ａと栓体３２は硬質プラスチック材料からなる。
【００２０】
可撓袋３０において、ノズル３１Ａと栓体３２は一体成形されたノズル体３３をなす。
【００２１】
可撓袋３０は、可撓性の袋本体３１に対し、ノズル３１Ａ、栓体３２を硬質にしたことから、本体容器１０の側傍に可撓袋３０の袋本体３１を正立させた状態で可撓袋３０（ノズル３１Ａ、栓体３２）をその根元から下向きに折り曲げて本体容器１０の第１ノズル１１Ａ、第２ノズル１２Ａにノズル３１Ａ、栓体３２を嵌合して連結できる。その後、可撓袋３０の袋本体３１を倒立させれば、袋本体３１の第１液をノズル３１Ａと第１ノズル１１Ａの連結部から本体容器１０の第１収容部１１に供給できる。本体容器１０の第２収容部１２への第２液の詰め替えは、通常のノズル付き可撓袋のノズルを第２ノズル１２Ａに嵌合して連結することにより行なえる。
【００２２】
尚、可撓袋３０にあっても、可撓袋２０で用いたコネクタ２４と同様のコネクタをノズル体３３におけるノズル３１Ａの外周に設けても良い。
【００２３】
また、可撓袋３０は、物流段階では、袋本体３１のノズル３１Ａを塞ぐ蓋体を備える。
【００２４】
本実施形態によれば、以下の作用がある。
（請求項４に対応する作用）
▲４▼可撓袋３０の第１液を本体容器１０の第１収容部１１に第１ノズル１１Ａから詰め替えるとき、可撓袋３０のノズル３１Ａを本体容器１０の第１ノズル１１Ａに連結し、栓体３２を第２ノズル１２Ａに連結するから、第１液を第１ノズル１１Ａの内側の第２ノズル１２Ａに流入されることなく、詰め替え時の２液混合を防止できる。
【００２５】
【発明の効果】
以上のように本発明によれば、２液を同時に吐出できる本体容器に対し、２液を同時に詰め替えることことができる。また、本発明によれば、２液を同時に吐出できる本体容器の第１収容部に外側の第１ノズルから第１液を詰め替えるとき、第１液を第１ノズルの内側の第２ノズルに流入させることなく、詰め替え時の２液混合を防止することができる。
【図面の簡単な説明】
【図１】図１は本体容器に可撓袋を接続した状態を示す模式図である。
【図２】図２は本体容器を示す模式図である。
【図３】図３は可撓袋を示す模式図である。
【図４】図４は可撓袋の他の例を示す模式図である。
【符号の説明】
１０  本体容器
１１  第１収容部
１１Ａ  第１ノズル
１２  第２収容部
１２Ａ  第２ノズル
２０  可撓袋
２１  外袋
２１Ａ  外ノズル
２２  内袋
２２Ａ  内ノズル
２４  コネクタ
３０  可撓袋
３１Ａ  ノズル
３２  栓体
【図１】
0004550318.tif 000002
【図２】
0004550318.tif 000003
【図３】
0004550318.tif 000004
【図４】
0004550318.tif 000005